(57)【要約】【課題】  ネットワークセキュリティ性の向上が図れた信頼性の高い情報配信システム及び情報端末の提供を目的としている。【解決手段】  情報を保有・管理するサーバー１と、サーバー１から得た情報を表示し、複数の家電機器が接続されたホームネットワークを制御及び管理する情報端末２を備える情報配信システムであって、情報端末２は、サーバー１から得た情報を表示するＬＣＤ表示部６、情報の表示や送り操作を行うタッチパネル１１等のスイッチ入力部１２、ＬＥＤ９ａの点灯やブザー９ｂ音等で利用者に閲覧を促すべき情報がある旨の通知を行う報知手段９、全体を制御する制御手段１０を有し、制御手段１０はサーバー１に対して報知手段９を動作させるか否かを問い合わせる為のポーリングを所定のタイミングで実施し、サーバー１はポーリングのレスポンスとして報知手段９の動作値を情報端末２に送信する。【選択図】          図１
2006285374.tif 000002
【特許請求の範囲】
【請求項１】
情報提供元からの情報を保有・管理するサーバーと、該サーバーから得た情報を表示するとともに、複数台の家電機器が接続されたホームネットワークを制御及び管理する情報端末と、ネットワーク網を備える情報配信システムにおいて、前記情報端末は、サーバーから得た情報を表示するＬＣＤ表示部と、情報の表示や送り操作を行うタッチパネル等のスイッチ入力部と、ＬＥＤの点灯やブザー音等で利用者に閲覧を促すべき情報がある旨の通知を行う報知手段と、全体の動作を制御する制御手段を有し、前記制御手段はサーバーからの指示に基づいて前記報知手段を制御すると共に、サーバーに対して前記報知手段を動作させるか否かを問い合わせる為のポーリングを所定のタイミングで実施し、前記サーバーは上記ポーリングのレスポンスとして上記報知手段の動作値を情報端末に送信するようにしたことを特徴とする情報配信システム。
【請求項２】
サーバーと情報端末間の電文の記述言語には、ＸＭＬ（eXtensible Markup Language）に準拠したフォーマットを使用するようにしたことを特徴とする請求項１記載の情報配信システム。
【請求項３】
前記ポーリングの電文には、情報端末からサーバーに対して行うポーリングの停止や周期を変更するための設定値を記述したポーリング周期設定手段を設けたことを特徴とする請求項１乃至請求項２のいずれかに記載の情報配信システム。
【請求項４】
停電復帰時など電源投入直後については、情報端末から上記サーバーに対して行うポーリングの開始タイミングを、ランダマイズするようにしたことを特徴とする請求項１乃至請求項３のいずれかに記載の情報配信システム。
【請求項５】
利用者が情報端末のタッチパネル等のスイッチを操作してＬＣＤ表示部にサーバーから配信される情報を閲覧する毎にポーリングを行うようにしたことを特徴とする請求項１乃至請求項４のいずれかに記載の情報配信システム。
【請求項６】
報知手段の動作値を取得するためのポーリングを定期的に行うとともに、ポーリングの周期値を取得するためのポーリングを前記ポーリングとは異なるタイミングで行うようにしたことを特徴とする請求項３記載の情報配信システム。
【請求項７】
サーバーと情報端末間の通信に異常が発生した場合に、前記報知手段により異常発生通知（ＬＥＤの点滅）させるとともに、ＬＣＤ表示部にも異常発生した旨や、販売店や保守会社等の連絡先の表示を行うようにしたことを特徴とする請求項１乃至請求項６のいずれかに記載の情報配信システム。
【請求項８】
サーバーが情報端末からのポーリングの有無を監視して所定時間ポーリングが途絶えた場合にネットワークや情報端末側で異常が発生したと判断するものにおいて、異常発生と判断した場合は、予め登録された販売店や保守会社への通報手段を設けたことを特徴とする請求項１記載の情報配信システム。
【請求項９】
サーバーが対応する情報端末からのポーリングの有無を監視して所定時間ポーリングが途絶えた時に異常発生と判断するものにおいて、端末利用者が長期旅行等で情報端末の電源を切にする際に、その旨サーバーへ通知するボタン等の入力手段を設けたことを特徴とする請求項１記載の情報配信システム。
【請求項１０】
情報提供元からの情報を保有・管理するサーバーと、該サーバーから得た情報を表示するとともに、複数台の家電機器が接続されたホームネットワークを制御及び管理する情報端末と、ネットワーク網を備える情報配信システムにおいて、前記情報端末は、サーバーから得た情報を表示するＬＣＤ表示部と、情報の表示や送り操作を行うタッチパネル等のスイッチ入力部と、ＬＥＤの点灯やブザー音等で利用者に閲覧を促すべき情報がある旨の通知を行う報知手段と、全体の動作を制御する制御手段を有し、前記制御手段はサーバーからの指示に基づいて前記報知手段を制御すると共に、サーバーに対して前記報知手段を動作させるか否かを問い合わせる為のポーリングを所定のタイミングで実施するようにしたことを特徴とする情報端末。
【請求項１１】
停電復帰時など電源投入直後については、情報端末から上記サーバーに対して行うポーリングの開始タイミングを、ランダマイズするようにしたことを特徴とする請求項１０記載の情報端末。
【請求項１２】
利用者が情報端末のタッチパネル等のスイッチを操作してＬＣＤ表示部にサーバーから配信される情報を閲覧する毎にポーリングを行うようにしたことを特徴とする請求項１０乃至請求項１１のいずれかに記載の情報端末。
【請求項１３】
報知手段の動作値を取得するためのポーリングを定期的に行うとともに、ポーリングの周期値を取得するためのポーリングを前記ポーリングとは異なるタイミングで行うようにしたことを特徴とする請求項１０記載乃至請求項１２のいずれかにの情報端末。
【請求項１４】
サーバーと情報端末間の通信に異常が発生した場合に、前記報知手段により異常発生通知（ＬＥＤの点滅）させるとともに、ＬＣＤ表示部にも異常発生した旨や、販売店や保守会社等の連絡先の表示を行うようにしたことを特徴とする請求項１０乃至請求項１３のいずれかに記載の情報端末。
【請求項１５】
サーバーが対応する情報端末からのポーリングの有無を監視して所定時間ポーリングが途絶えた時に異常発生と判断するものにおいて、端末利用者が長期旅行等で情報端末の電源を切にする際に、その旨サーバーへ通知するボタン等の入力手段を設けたことを特徴とする請求項１０記載の情報端末。
【発明の詳細な説明】
【技術分野】
【０００１】
本発明は、サーバーと情報端末を相互に接続する情報ネットワークシステム及びサーバーからの情報を受信して表示を行う情報端末に関するものである。
【背景技術】
【０００２】
従来の情報配信システムにおける情報端末には、基幹ネットワークを介して定期的に配信される定期情報群と非定期に配信される至急情報群の着信を報知できる報知手段を有し、報知動作を行わせる設定データを含む情報端末に情報を表示せしめる情報ファイル、情報端末の動作機能を設定する動作設定ファイル、或いは情報端末に情報を表示せしめると同時に、その動作機能を設定する情報兼動作設定ファイルを受信すると、その設定データによって報知手段が作動するようにし、新着や緊急或いは重要情報の着信をより確実に利用者に報知することができる（例えば、特許文献１参照）。
【０００３】
【特許文献１】特開２００４−３６２３１７号公報（第５−１６頁、第３図）
【発明の開示】
【発明が解決しようとする課題】
【０００４】
上記従来の方法では、ホスト装置から配信されてくる、またはゲートウェイサーバが取得する情報を多量に蓄える等の必要が生じるため、情報端末のリソース消費（構成するＣＰＵ、メモリ容量等）が大きくなるという問題点があり、また、情報端末の受信ポートを開く必要があるため、セキュリティの確保が難しいという問題点があった。
【０００５】
本発明は、上記のような問題点を解決するもので、ネットワークセキュリティ性の向上が図れた信頼性の高い情報配信システム及び情報端末の提供を目的としている。
【課題を解決するための手段】
【０００６】
本発明に係る情報配信システムは、情報提供元からの情報を保有・管理するサーバーと、該サーバーから得た情報を表示するとともに、複数台の家電機器が接続されたホームネットワークを制御及び管理する情報端末と、ネットワーク網を備える情報配信システムにおいて、前記情報端末は、サーバーから得た情報を表示するＬＣＤ表示部と、情報の表示や送り操作を行うタッチパネル等のスイッチ入力部と、ＬＥＤの点灯やブザー音等で利用者に閲覧を促すべき情報がある旨の通知を行う報知手段を有し、前記報知手段はサーバーからの指示に基づいて制御する制御手段を有し、前記制御手段はサーバーに対して前記報知手段を動作させるか否かを問い合わせる為のポーリングを所定のタイミングで実施するとともに、前記サーバーは上記ポーリングのレスポンスとして上記報知手段の動作値を情報端末に送信するようにしたものである。
【発明の効果】
【０００７】
本発明の情報配信システムにおいては、上記のような構成としたので、サーバーから一方的に配信されてくる情報を多量に蓄える必要が無く、利用者が情報を閲覧する時に必要なデータを必要量取得するようにしたので、情報端末のリソースを最小限に抑えることができる。
また、情報端末の受信ポートが不要となるためネットワークセキュリティ性を向上させることができ、信頼性の高い情報配信システム及び情報端末を実現できる。
【発明を実施するための最良の形態】
【０００８】
実施の形態１．
以下、本発明の実施の形態１を図に基づいて説明する。
図１は本発明の実施の形態１を示す情報配信システムの概略構成図である。
図１において、１はマンション管理会社などの情報提供元からの情報を保有または管理を行うサーバー、２は情報端末であり、サーバー１から得た情報を表示するとともに、複数台の家電機器が接続されたホームネットワークの制御及び管理を行う。３はインターネット網であり、これを介してサーバー１と情報端末２は接続されている。
住戸４内に設置された情報端末２は、住戸４内で使用される複数の住戸内の機器５に接続されている。本実施例では、エアコン５ａ、床暖房機５ｂ、照明器具５ｃ、及び電気温水器５ｄをその住戸内機器５の例として図示している。この住戸内の機器５は、情報端末２によって運転状態などを制御及び管理する事ができる。
【０００９】
図２は本発明の実施の形態１に示す情報端末２の外観例示す図である。
図２において、６はサーバー１から供給される情報の表示や、接続された住戸４内の機器５の操作・監視をするための画面が表示されるＬＣＤ表示部であり、その表面にタッチパネル（図示せず）等の操作入力手段が設けられている。７は前記ＬＣＤ表示部６にサーバー１から供給される情報を表示させるための情報画面用スイッチであり、この情報画面用スイッチ７を操作することで情報を表示するための画面に切り替わる。８は接続された住戸４内の機器５の操作・監視をするための画面を表示させるための機器画面用スイッチであり、この機器画面用スイッチ８を押すと接続された機器の操作・状態表示する画面の表示モードに切り替わり、以降、画面内容に従いタッチパネル（図示せず）を操作することで機器５の状態の確認や、運転の『入／切』操作、温度設定などの操作を行うことが可能となる。９は情報端末２の利用者に閲覧を促すべき情報がある場合に報知を行う為の報知手段であり、本実施例では、ＬＥＤ９ａとブザー９ｂとで構成されている。
【００１０】
図３は本発明の実施の形態１に示す情報端末２の制御ブロック図である。
図３において、１０は情報端末２の全ての制御を行う制御手段であり、通常、マイクロコンピュータ等に搭載されたプログラムにより実現される。図２を参照して説明したＬＣＤ表示部６が接続され、このＬＣＤ表示部６の画面表面にはタッチパネル１１が設けられている。また、情報画面用スイッチ７、機器画面用スイッチ８と共にスイッチ入力部１２を構成する。加えて、ＬＥＤ９ａ、ブザー９ｂも接続されている。更に、１３はインターネット網３を介して接続されるサーバー１との通信処理を行う対サーバー通信処理部、１４は住戸４内に設置された機器５の操作や監視を行う為の通信を行う対宅内機器通信処理部である。
【００１１】
近年、マンション内の回覧版や掲示板、天気予報や時刻表といった地域独自の情報を、情報提供会社からマンション各住戸内の情報端末２に提供するサービスが実用されている。この情報には、広告や地域情報などの特に読まなくても支障のない情報（低優先度情報）と、停電情報や災害情報など比較的緊急度合の高く必ず利用者に読んで頂かなければならない情報（高優先度情報）とがあり、この高優先度情報が提供された場合は、情報端末２の利用者に必ず情報の閲覧をするよう促す必要がある。
【００１２】
図４は本発明の実施の形態１を示すサーバー１と情報端末２の交信を示すシーケンス図である。
情報端末２は、電源の投入などにより起動されると、予め登録されているサーバー１のアドレスに対して、保有する報知手段９であるＬＥＤ９ａの動作値（点灯か消灯かの状態値）を取得する為のポーリング（動作値取得要求）を、所定のタイミングで開始する。ここでは、制御手段に予め設定されている所定の周期（例えば、約５分）間隔でポーリングを行う例を示している。
一方、サーバー１には、広告や地域情報などの緊急性の低い情報が提供・格納される低優先度情報データ領域１５と、停電情報などの比較的緊急度の高い情報が提供・格納される高優先度情報データ領域１６が確保され、マンション管理会社などの情報提供元からの情報の内容に応じて振り分けられている。
なお、図に示したそれぞれの優先度情報データ領域は、単に情報の有無を表したものでは無く、閲覧されていない（つまり未読の）情報の有無を表したものである。
【００１３】
図によると、動作値取得要求（１）ポーリングのタイミング時点では、サーバー１内に残っている（閲覧されていない）情報は、低優先度情報のみであることが判る。この場合、サーバー１は動作値取得要求（１）ポーリングを受信すると、これに対するレスポンスとしての応答（１）に、“ＬＥＤ９ａ消灯（ＯＦＦ）”の動作値を記述して送信を返す。
情報端末２は、対サーバー通信処理部１３によってこの応答（１）を受信すると、記述されているＬＥＤ９ａの動作値に従い、制御手段１０がＬＥＤ９ａの状態を変化させるようになっている。この場合は、ＬＥＤ９ａが消灯する事になる。
【００１４】
同様に、動作値取得要求（２）ポーリング時点においても、サーバー１側には低優先度情報しか無く、サーバー１からの応答（２）にも、“ＬＥＤ９ａ消灯（ＯＦＦ）”の動作値が記述された返信が戻ってくる。
【００１５】
ここで、サーバー１に情報提供会社から災害情報などの優先度の高い情報が提供されると、高優先度情報データ領域１６に格納される。この後、サーバー１は情報端末２からの動作値取得要求（３）ポーリングを受信すると、これに対するレスポンスとしての応答（３）に、“ＬＥＤ９ａ点灯（ＯＮ）”の動作値を記述する事になる。
情報端末２はこのサーバー１からの動作値に従いＬＥＤ９ａを点灯させて、重要な情報があるので閲覧するよう利用者へ促す事となる。
【００１６】
利用者は、情報端末２に設けられたＬＥＤ９ａが点灯している事から、重要な情報がある事が分かる。利用者は情報画面用スイッチ７を操作する事でサーバー１にアクセスし、またＬＣＤ表示部６に表示された画面内容に従いタッチパネル１１等を操作しながら、目的である重要な情報を画面に表示させ、内容を確認する事ができる。
全ての高優先度情報が閲覧される迄の間は、ＬＥＤ９ａを消灯する必要は無く、動作値取得要求（ｎ）ポーリングの段階では、応答（ｎ）の動作値は“ＬＥＤ９ａ点灯（ＯＮ）”のままとなる。
【００１７】
利用者が全ての優先度の高い情報を閲覧し終わると、サーバー１の高優先度情報データ領域１６から未読の情報が無くなり、情報端末２からの動作値取得要求（ｎ＋１）ポーリングのレスポンスとしての応答（ｎ＋１）で“ＬＥＤ９ａ消灯（ＯＦＦ）”の動作値を記述した送信を返し、これを受信した情報端末２は、ＬＥＤ９ａを消灯させる。これにより、利用者は未読の重要な情報が無くなった事を知る事ができる。
図によると利用者の情報閲覧したものの、低優先度情報データ領域に優先度の低い情報が未読のまま残っているが、この低優先度情報の有無はＬＥＤ９ａの点灯及び消灯の動作状態に関係しないものであり、この事を示したものである。
【００１８】
なお本説明では、情報の内容でのみ重要度を判断していたが、例えば新着情報が提供された時点や、提供している情報内容が更新または変更された場合にもＬＥＤ９ａを点灯させるようにしも良く、何の情報に重要度をおくかはサーバー１側で自由に選択する事ができる。
また、情報の重み付けは、本説明での２段階から複数段にしても良く、情報端末２側において、ＬＥＤ９ａを点滅させたり、ブザー９ｂの音による報知を加える事で、より強く利用者に対して情報閲覧を促すような報知を加える事も可能である。更に、ＬＣＤ画面６に重要な情報を表示させる等を組み合わせても良い。
【００１９】
ところで、報知手段９を動作させるか否かを問い合わせる為のポーリングの電文の記述言語に、ＸＭＬ（eXtensible  Markup  Language）に準拠したフォーマットを使用しても良い。ＸＭＬはインターネット上で文書やデータを交換したり、配布したりするときのデータ記述言語であり、ユーザーが自由にタグを定義でき、タグにより情報の意味付けを行うことが可能なため、データベースを記述することもできる。これにより、ＸＭＬを処理してサーバー１のデータベースと通信するというようなアプリケーションがサーバー１側でも容易に機能拡張できる。つまり、データの伝送及びデータの格納にも有用であるＸＭＬを使用することで、将来のシステム拡張を容易にすることができる。
【００２０】
以上のように、上記実施の形態１の構成によれば、サーバー１から一方的に配信されてくる情報を多量に蓄える必要が無く、利用者が情報を閲覧する時に必要なデータを必要量取得するようにしたので、情報端末２のリソースを最小限に抑えることができる。
また、ネットワーク３に接続されているサーバー１に対して情報端末２からポーリングを行い、このポーリングに呼応する形でサーバー１からレスポンスパケットで動作値などのコマンドを情報端末２へ送るため、情報端末２側で受信ポートが不要となり、その結果ネットワークセキュリティ性を向上させることができ、信頼性の高い情報配信システムを実現できる。
【００２１】
実施の形態２．
上記実施の形態１の情報配信システムにおいて、サーバー１に対応する情報端末２の数は、サーバー１の処理能力で限定されるが、サーバー１の負荷が増大したときに情報端末２のポーリング周期を変更することで、負荷を軽減することができるようにしたものである。例えば図５に示したように、通常時は各情報端末２からのポーリング周期を約５分間隔で運用している情報配信システムにおいて、何らかの原因でサーバー１の負荷が増大した場合にサーバー１の負荷を軽減するために、情報端末２からのポーリングに対するレスポンスに、サーバー１側で指定したいポーリング周期の動作値を記述して送信し、情報端末２はこれを受信すると次回のポーリング周期を指示値（例えば１０分間隔）に従ってこれを長くすることができる。
サーバー１は負荷増大の原因が解消した時点で、前記ポーリングに対するレスポンスにポーリング周期を変更する為の動作値を元の値（例えば５分）に戻して返信し、情報端末２からのポーリグ間隔を約５分にする。
以上の様な構成にしたので、サーバー１は負荷状況に応じて情報端末２からのポーリング周期を変更することができる。
【００２２】
実施の形態３．
また、停電後の電源復帰などの場合、サーバー１に接続された情報端末２は一斉に電源が投入される事になり、この時、情報端末２は起動後にポーリング処理を開始する事になるのであるが、ポーリング周期が予め情報端末２の保有する初期値、若しくは、サーバー１からの指示値である為、つまりサーバー１に接続される情報端末２全てが共通の値となっている為、停電復帰後などに情報端末２からのポーリングが同一タイミングで集中する事になってしまう。その為、サーバー１負荷が増大するばかりか、通信が成立できずに、サーバー１から情報を取得でき無くなりかねない。
本実施例では、これを回避する為に、起動処理後からポーリング開始までの時間を情報端末２毎にランダムな値を用いる様にしたものである。
【００２３】
なお、このランダムな値を取得（生成）する方法としては、情報端末２毎にそれぞれ採番され、１つとして重複する事の無い番号（例えば、製造番号などの個体識別番号や、ＭＡＣアドレスなど）から、シード値を求める方法などがある。
また、情報端末２毎にランダムな値を、工場出荷時、又は、端末を設置する際の設定時などの初期時点から割り振り、これを利用する仕組みにしても良い。
【００２４】
実施の形態４．
上記実施の形態１の情報配信システムにおいて、ＬＥＤ９ａなどの報知手段９の動作について指示を行うのはサーバー１であり、またこの指示値（動作値）は定期的な（例えば５分間隔）ポーリングにより取得するように構成しているので、利用者が目的の重要な情報を閲覧したにも係らず、所定時間が経過しないと報知手段９の動作が止まらないことになる。例えば、図４で示した様に、ポーリング間隔が５分で運用されている場合、利用者が目的の情報を閲覧した後、最大で５分経過しないと報知手段であるＬＥＤ９ａが消灯しない事が分かる。サーバー１からのポーリング間隔の指示値が更に長い値に設定されている場合はなおさらである。
【００２５】
ＬＥＤ９ａの点灯に気付き大切な情報があるものとして情報を閲覧した利用者にとって、目的の情報を閲覧したにも係らずＬＥＤ９ａが消灯しない場合、利用者はまだ閲覧すべき情報があるものと思い込み、情報を探す等の行為に及ぶなど利用者を惑わせる事となってしまう。これを回避する為には、情報閲覧後の数秒以内（例えば、５秒程度）にＬＥＤ９ａを消灯させる必要が生じる。
そこで、前記定期的なポーリングとは別に、利用者が情報を閲覧する際のタッチパネル（図示せず）等のスイッチ類を操作する毎にポーリングを行うようにする事で、先述のような報知手段であるＬＥＤ９ａの動作（消灯）の遅れを解消する事ができ、利用者を惑わす事を回避することができる。
【００２６】
なお、スイッチ類の操作毎でもポーリングでは、１秒間に数回などの頻繁なポーリングが発生する可能性もありサーバー１の負荷にも成りかねない。そこで、許容できる時間（例えば、５秒間）間隔以内のポーリングが発生しないよう、制限を加える方法を用いても良い。
【００２７】
実施の形態５．
上記実施の形態２の情報配信システムにおいて、１回のポーリングにおいて報知手段であるＬＥＤ９ａの動作値と一緒に、ポーリング間隔の動作値を取得する様に構成したが、サーバー１側の負荷を減らす目的で、定期的なポーリングの際は、報知手段であるＬＥＤ９ａの動作値のみを取得する様にし、取得頻度の低いポーリング間隔の指示値については１日に１回所定の時間（ＡＭ４：００頃）などに、別のタイミングで発生させるポーリングで取得する様にしても良い。なお、請求項４で述べた様に、所定の時刻（ＡＭ４：００）に情報端末２からのポーリングが集中しない様にランダム値を用いる事は必要となる。
【００２８】
実施の形態６．
上記実施の形態１の情報配信システムにおいて、サーバー１と情報端末２間の通信において通信が成立しない様な何らかの異常が発生した場合に、前記報知手段９によるＬＥＤ９ａの点滅やブザー９ｂ音による報知を行うことで利用者に何らかの異常が発生している事を知らしめると共に、報知手段９のみでは、利用者がどの様な問題が発生しているのか理解することが難しく、その詳細説明を情報端末２に搭載されているＬＣＤ表示部６にメッセージ等の文字情報で表示するように構成したものである。
【００２９】
例えば、通信が不成立であった場合、図６に示した様なメッセージを表示させる事によって、利用者はネットワークに異常がある事が理解でき、且つ、事前に登録された販売店や保守会社の連絡先が表示される為、問い合わせ先が記載されている取扱説明書等を探し出す等の手間も省ける。
【００３０】
実施の形態７．
上記実施の形態１の情報配信システムにおいて、サーバー１は、登録された情報端末２からのポーリングの有無を監視し、所定時間（例えば、１日間）情報端末２からのポーリングが途絶えた時に異常発生と判断し、予め登録された販売店や保守会社への通報手段を設けておけば、情報端末２やルーターやモデムなどのネットワーク構成機器（図示せず）に異常や故障が発生したとき、即、自動的に販売店や保守会社へ通報することができる。
これによって、情報端末２の利用者がこの情報配信システムに異常が生じた場合に、販売店や保守会社への連絡をする等の手を煩わせる事が無く、且つ、迅速な対応によって、利用者が使用できない時間の短縮を図ることができる。また、この異常に気が付かず、大切な情報の閲覧を見逃す等の心配も無くなる。
【００３１】
実施の形態８．
上記実施の形態７の情報配信システムにおいて、サーバー１が情報端末２からのポーリングの有無を監視することで異常を判断し、異常と判断した場合には保守会社等へ連絡する仕組みを示したが、例えば利用者が海外旅行などで家を長期間不在にする際に、情報端末２の電源を『切』にした場合、サーバー１側から異常と判断されてしまう事になる。そこで、利用者が旅行等に出かける際に、電源スイッチを『切』にすると、自動的にサーバー１に対して“ポーリングを停止する旨の通知”を行う入力手段を設ける事で、情報端末２側に異常が発生したと誤った判断をしてサービス技術者からの連絡や出動等が行われる事を無くすことができる。
【００３２】
またこの入力手段は、専用の“お出かけ通知”スイッチ（図示せず）を設け、利用者が旅行等に出かける際に、このスイッチを操作すると、情報端末２の電源を『切』にすると共に、接続される機器群の運転を停止し、更にサーバー１に対して“ポーリングを停止する旨の通知”をする様にしても良い。
【図面の簡単な説明】
【００３３】
【図１】本発明の実施の形態１を示す情報配信システムの概略構成図である。
【図２】本発明の実施の形態１に示す情報端末２の外観例示す図である。
【図３】本発明の実施の形態１に示す情報端末２の制御ブロック図である。
【図４】本発明の実施の形態１を示すサーバー１と情報端末２の交信を示すシーケンス図である。
【図５】本発明の実施の形態４を示すサーバー１と情報端末２の交信を示すシーケンス図である。
【図６】本発明の実施の形態８のＬＣＤ表示部の内容を示す図である。
【符号の説明】
【００３４】
１    サーバー
２    情報端末
３    インターネット網
４    住戸
５    機器
５ａ  エアコン
５ｂ  床暖房機
５ｃ  照明
５ｄ  電気温水器
６    ＬＣＤ表示部
９    報知手段
１０    制御手段
１２    スイッチ入力部
【図１】
2006285374.tif 000003
【図２】
2006285374.tif 000004
【図３】
2006285374.tif 000005
【図４】
2006285374.tif 000006
【図５】
2006285374.tif 000007
【図６】
2006285374.tif 000008